(57)【要約】【課題】ボールを拾い上げ着脱する操作が片手で簡単に出来る様にしたボール保持具を提供すること。【解決手段】軸方向中間部が中空であるシャフト１と、シャフト１の一端部に設けられたグリップ部２と、シャフト１の他端部に設けられたボール保持部材３と、ボール保持部材３に保持されたボール５１を離脱させるためのボール離脱部材３１とを備え、ボール離脱部材３１は、シャフト１の中空空間に軸方向に移動自在に収容されたボール離脱中間連結部１３を有し、またシャフト１の一端側には、第一スリット６１が設けられ、シャフト１の他端側には第二スリット７１が設けられ、ボール離脱部材３１の一端部には、ボール離脱中間連結部１３から第一スリット６１を通してグリップ部２に向けて延びるボール離脱操作部１１が設けられ、ボール離脱部材３１の他端部には、ボール離脱中間連結部１３から第二スリット７１を通してボール保持部材３に延びるボール離脱押し出し部１２とボール離脱押し出し面１４を設けた。【選択図】図１
2018029936.tif 000002
【特許請求の範囲】
【請求項１】
軸方向中間部が中空であるシャフトと、
前記シャフトの一端部に設けられたグリップ部と、
前記シャフトの他端部に設けられたボール保持部材と、
前記ボール保持部材に保持されたボールを離脱させるためのボール離脱部材とを備え、
前記ボール離脱部材は、前記シャフトの中空空間に軸方向に移動自在に収容された中間連結部を有し、また前記シャフトの一端側には、第一スリットが設けられ、前記ボール離脱部材の一端部には、前記中間連結部から前記第一スリットを通して前記グリップ部に向けて延びる操作部が設けられていることを特徴とするボール保持具。
【請求項２】
前記シャフトの他端側には第二スリットが設けられ、前記ボール離脱部材の他端部には、前記中間連結部から前記第二スリットを通して前記ボール保持部に延びる押し出し部が設けたことを特徴とする請求項１記載のボール保持具。
【請求項３】
前記ボール保持具のグリップ部にリールキーを付けたことを特徴とする請求項１記載のボール保持具。
【請求項４】
前記シャフトの前記他端部には地面接地部材が設けられ、前記地面接地部材の先端部は前記ボール保持部材を超えて伸びていることを特徴とする請求項１記載のボール保持具。
【発明の詳細な説明】
【技術分野】
【０００１】
マレットゴルフ、パークゴルフ及びグランドゴルフをプレーする時、脚を曲げたりする必要なく、地面から直接ボールを拾い上げたり、地面にボールをセットすることを片手で簡単に操作出来るボール保持具に関するものである。
【背景技術】
【０００２】
特許文献１には、ホールインしたボールを拾い上げると共に、次のスタート位置までの持ち運びと共にスタート位置でのボールのセットまでも出来るようにしたグランドゴルフ用補助具が示されている。
【０００３】
特許文献２には、パークゴルフボールを捕球抱持するものはあるが捕球具からの放球（脱球）は手で行うものでありこの不便を放球手段を付設して解決したパークゴルフボールの補球具が示されている。
【０００４】
特許文献３には、パークゴルフボールを捕球抱持するものはあるが捕球具からの放球（脱球）は手で行うものでありこの不便を放球手段を付設して解決したパークゴルフボールの補球放球具が示されている。
【０００５】
特許文献４には、パッティンググリーン上で、かがみ込む動作を一切行わずに、ゴルフプレーが可能なゴルフボールのピックアップ補助具が示されている。
【０００６】
特許文献５には、地面のボールを腰をかがめて拾い上げたり、手中のボールを腰をかがめて地面に置いたり、地面のある点から別の地点にボールを移動したりするといった腰に負担のかかる動作を排除でき、腰痛を未然に防止する球技用スティックが示されている。
【０００７】
特許文献６には、ボールを拾い上げる場合に簡単にボールを拾い上げることができると共に雨水等の貯まったカップからボールを拾い上げる場合もクラブ等が濡れないボール拾い上げ具が示されている。
【０００８】
非特許文献１には、膝を曲げずにボールを拾えるＭ−４９ピックアップ（リールキー付）が示されている。
【０００９】
非特許文献２には、ボール拾いが楽なボールキャッチャーが示されている。
【先行技術文献】
【特許文献】
【００１０】
【特許文献１】実用新案登録第３１６９１８１号公報
【特許文献２】実用新案登録第３０８７３２３号公報
【特許文献３】実用新案登録第３１３８８２１号公報
【特許文献４】特開２００９−１１８９２６号公報
【特許文献５】特開平１０−８０５０８号公報
【特許文献６】実用新案登録第３１３４２３２号公報
【非特許文献】
【００１１】
【非特許文献１】ＹＡＨＯＯ！ショッピング  たけうちスポーツhttp://store.shopping.yahoo.co.jp/takeuchisportspro/a5dda1bca5.htmlＭ−４９ピックアップ（リールキー付）マレットゴルフ用ボール取りスティック
【非特許文献２】ＹＡＨＯＯ！ショッピング  マルシンネットサービスhttp://store.shopping.yahoo.co.jp/marushinnet/a5d1a1bca53.htmlボール拾いがラクラク！（ボールキャッチャー）
【発明の概要】
【発明が解決しようとする課題】
【００１２】
ボールを拾い上げて保持するボール保持具として、種々のものが提案されている。特許文献１〜４のものでは、中空シャフトの内側にボール押し出し部材が移動自在に装着されているが、このボール押し出し部材の後端部は中空シャフトの後端部を通して上方に突出しており、従って、このような構成では中空シャフトのグリップ部をグリップした手で持ってボール押し出し部材を押し出し操作することができず、グリップ部を握り直すか、又はグリップした手と別の手で押し出し操作する（即ち、両手を用いる）必要がある。
特許文献５のものでは、ステックの先端部にプッシュロック機能が設けられているが、このような機構はグランドゴルフではティーの上にボールをうまく置くことができない。
また、特許文献６及び非特許文献１〜２のものでは、リールキーを開示するが、ボール押し出し部材を備えていない。
本発明の目的は、ボールの拾い上げ操作を簡単にできるとともに、握ったグリップを持ち替えることなく、グリップを持った手の親指による簡単な操作をもって膝を曲げずにボールを地面に置くことができるボール保持具を提供することである。
【課題を解決するための手段】
【００１３】
軸方向中間部が中空であるシャフトと、前記シャフトの一端部に設けられたグリップ部と、前記シャフトの他端部に設けられたボール保持部材と、前記ボール保持部材に保持されたボールを離脱させるためのボール離脱部材とを備え、前記ボール離脱部材は、前記シャフトの中空空間に軸方向に移動自在に収容された中間連結部を有し、また前記シャフトの一端側には、第一スリットが設けられ、前記シャフトの他端側には第二スリットが設けられ、前記ボール離脱部材の一端部には、前記中間連結部から前記第一スリットを通して前記グリップ部に向けて延びる操作部が設けられ、前記ボール離脱部材の他端部には、前記中間連結部から前記第二スリットを通して前記ボール保持部に延びる押し出し部を設けた。
グランドゴルフ用のボール保持具は前記ボール保持具に地面接地部材を取り付けた為、ボールを地面に置くときには、マットの中のティ―面が小さいにもかかわらずボール保持具の先端が揺れる事なく確実にボールを設置できる。
【発明の効果】
【００１４】
本発明のボール保持具は、立った状態でボール拾い上げ操作を簡易にできると共に、グリップを握った手の親指でボールを押し出して、ボールを地面に置くことができる。
【図面の簡単な説明】
【００１５】
【図１】図１（ａ）は、本発明の第一の実施形態を示すボール保持具の平面図であり、図１（ｂ）は、同ボール保持具の右側平面図である。
【図２】図２（ａ）は、同ボール保持具のボール離脱部材の平面図であり、図２（ｂ）は、同ボール離脱部材の右側平面図である。
【図３】図３（ａ）は、同ボール保持具の図１（ａ）におけるＡ−Ａ’線断面図であり、図３（ｂ）は、同ボール保持具の図１（ｂ）におけるＢ−Ｂ’線断面図である。
【図４】図４（ａ）は、同ボール保持具の図１（ａ）におけるＣ−Ｃ’線断面図であり、図４（ｂ）は、同ボール保持具の図１（ｂ）におけるＤ−Ｄ’線断面図である。
【図５】図５は、本発明の第一の実施形態のボール保持具の使用方法を示す図である。
【図６】図６（ａ）は、本発明の第二の実施形態を示すボール保持具の平面図であり、図６（ｂ）は、同ボール保持具の右側平面図である。
【図７】図７は、本発明の第二の実施形態のボール保持具の使用方法を示す図である。
【発明を実施するための形態】
【００１６】
以下、本発明の実施の形態を図１〜図７に基づいて説明する。
【００１７】
図１は、本発明の実施の形態に係るボール保持具を示したものである。
図１において、１は、軸方向中間部が中空であるシャフトであり、２は、前記シャフト１の一端部に設けられたグリップ部であり、３は、前記シャフト１の他端部に設けられたボール保持部材である。ボール保持部材３は、左右２個の円形部材で形成されている。なお、ボール保持部材３は、ボール保持部材の固定用ビス４２とボール保持部材の固定用ナット４３でシャフト１に固定される。３１は、前記ボール保持部材３に保持されたボール５１を離脱させるためのボール離脱部材である。８１は、体のベルト等に固定して、ボール保持具を使用する時は、中にあるリード線が伸び、使用しない時はバネによってリード線が巻き取られるリールキーである。前記シャフト１の一端側には、第一スリット６１が設けられ、その他端側には、第二スリット７１が設けられている。尚、ボール５１はボール保持具によって保持されるボールである。
【００１８】
図２において、ボール離脱部材３１は、シャフト１の中空空間の軸方向に移動自在に収容された中間連結部を有する一体部材である。１１は、ボール離脱操作部であり、親指で押し出し操作できるように折り曲げ加工がされている。１２は、ボール離脱押し出し部であり、中空シャフト１の外に形成されている。１４は、ボール離脱押し出し面であり、ボールに接触する面である。ボール離脱部材３１は、ボール離脱操作部１１、ボール離脱押し出し部１２、ボール離脱中間連結部１３、ボール離脱押し出し面１４とで構成される。ボール離脱部材３１は、例えば金属ワイヤー等で作られ、太さは、シャフト１の中空空間軸方向の移動が安定してできる太さであればよく、保持具全体の重さ・強度等を考慮して決められる。また、形状は、実施例に限られることなく、シャフト１の内面をスムーズに移動できるように、ふくらみを持たせても良い。
ボール離脱部材３１の一端部には、ボール離脱中間連結部１３から第一スリット６１を通してグリップ２に向けて延びるボール離脱操作部１１が設けられ、その他端部には、ボール離脱中間連結部１３から第二スリット７１を通してボール保持部材３に延びるボール離脱押し出し部１２が設けられ、先端にはボール離脱押し出し面１４を設けている。
【００１９】
図３において、（ａ）は図１のＡ−Ａ’ 断面を示したものである。シャフト１の中空空間
をボール離脱中間連結部１３が２本通っている。一方、（ｂ）は図１のＢ−Ｂ’ 断面を示したものである。このようなボール離脱中間連結部１３は、金属ワイヤー等で作られ、シャフト１の中空部に適当なすき間を有して配置される。
【００２０】
図４において、（ａ）は図１のＣ−Ｃ’ 断面を示したものである。一方、（ｂ）は図１のＤ−Ｄ’ 断面を示したものである。シャフト１の中空空間を通っていたボール離脱中間連結部１３の２本が第二スリット７１を通ってシャフト１の外部に出て、ボール離脱押し出し部１２となる。
【００２１】
図５において、図２のボール離脱部材を参照しながら、ボール保持具の操作について説明する。
ボール５１を拾うときは、グリップ２を握りボール保持部材３を地上のボール５１の真上に近づけて押し込む。こうすることでボール保持部材３が左右に開き、ボール５１を保持することができる。ボール５１を保持することで、ボール５１がボール離脱押し出し面１４を押し、ボール離脱操作部１１が、グリップ２の方向に押し出される。この動作の時、グリップ２を握って腕を延ばすことでリ―ルキー８１のリード線が延びるので膝を曲げる必要がなくなる。また、拾って保持したボール５１を地面に置くときには、グリップ２を握り、ボール保持部材３を地上に近づけ、グリップ２を握っている手の親指でボール離脱操作部１１を押し出す。こうすることで、ボール離脱部材３１がスライドしてボール離脱押し出し面１４がボール５１を押し出し、ボール保持部材３が左右に開き、ボール５１を地面に置くことができる。ボール離脱押し出し面１４は、ボール５１に接触する面が広いので確実にボール５１を押し出すことができる。グリップ２を握っている手を離すことで、リールキー８１のリード線が巻き取られてボール保持具のグリップ２は腰の位置にもどる。
【００２２】
図６において、（ａ）は地面接地部材９１がビス４２とナット４３でシャフト１の先端部分に固定されて、ボール保持部材３の外側でボール保持部材３を超えて曲線で伸びる。
（ｂ）図面は（ａ）図面の右側平面図で地面接地部材９１は板状の部材で先端部をＭ字形状に形成し、地面に喰い込む部分が二か所設けられている。こうすることで、ボール保持具が地面に接地した時本体を安定させ固定できる。
【００２３】
図７において、ボール保持具はボール５１を地面に置くときには、マットの中のティ―面の後方に地面接地部材９１の先端を地面に接地して、ボール保持具を固定させてから、ボール離脱操作部１１を押し出す。
【符号の説明】
【００２４】
１  シャフト
２  グリップ
３  ボール保持部材
１１  ボール離脱操作部
１２  ボール離脱押し出し部
１３  ボール離脱中間連結部
１４  ボール離脱押し出し面
３１  ボール離脱部材
４２  ビス
４３  ナット
５１  ボール
６１  第一スリット
７１  第二スリット
８１  リールキー
９１  地面接地部材
【図１】
2018029936.tif 000003
【図２】
2018029936.tif 000004
【図３】
2018029936.tif 000005
【図４】
2018029936.tif 000006
【図５】
2018029936.tif 000007
【図６】
2018029936.tif 000008
【図７】
2018029936.tif 000009
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
軸方向中間部が中空であるシャフトと、
前記シャフトの一端部に設けられたグリップ部と、
前記シャフトの他端部に設けられたボール保持部材と、
前記ボール保持部材に保持されたボールを離脱させるためのボール離脱部材とを備え、
前記ボール離脱部材は、前記シャフトの中空空間に軸方向に移動自在に収容された中間連
結部を有し、また前記シャフトの一端側には、第一スリットが設けられ、前記ボール離脱
部材の一端部には、前記中間連結部から前記第一スリットを通して前記グリップ部に向け
て延びる操作部が設けられ、
前記シャフトの他端側には第二スリットが設けられ、前記ボール離脱部材の他端部には、
前記中間連結部から前記第二スリットを通して前記ボール保持部に延びる押し出し部を設
けたことを特徴とするボール保持具。
【請求項２】
前記ボール保持具のグリップ部にリールキーを付けたことを特徴とする請求項１記載の
ボール保持具。
【請求項３】
前記シャフトの前記他端部には地面接地部材が設けられ、前記地面接地部材の先端部は
前記ボール保持部材を超えて伸びていることを特徴とする請求項１記載のボール保持具。